(57)【要約】【課題】マイナスイオン発生量を効果的に増加させてマイナスイオンによる肌の手入れ効果を向上させる。【解決手段】ミストを放出するミストノズル１又はスチームを放出するスチームノズル２の両側にマイナスイオン発生装置３によって発生するマイナスイオンを肌表面に向けて放出させるイオンノズル４、４を併設した。【選択図】　　　　図１
2004016523.tif 000002
【特許請求の範囲】
【請求項１】
ミストを放出するミストノズル又はスチームを放出するスチームノズルの両側にマイナスイオン発生装置によって発生するマイナスイオンを肌表面に向けて放出させるイオンノズルを併設して成ることを特徴とする美顔器。
【請求項２】
併設された複数のイオンノズルのイオンノズル固定部材をマイナスイオン発生装置のグランド極側に接続して成ることを特徴とする請求項１記載の美顔器。
【請求項３】
ミストを放出するミストノズル又はスチームを放出するスチームノズルを中心として複数のイオンノズルを併設して成ることを特徴とする請求項２記載の美顔器。
【請求項４】
肌をプラス電位側に保持する荷電端子部を備えて成ることを特徴とする請求項１記載の美顔器。
【発明の詳細な説明】
【０００１】
【発明の属する技術分野】
本発明は、美顔器に関し、詳しくは、マイナスイオン発生量を効果的に増加させてマイナスイオンによる肌の手入れ効果を向上させようとする技術に係るものである。
【０００２】
【従来の技術】
従来、美顔器Ａ’においては、ミストを放出するミストノズル１又はスチームを放出するスチームノズル２とマイナスイオンを放出するイオンノズル４をそれぞれ１個づつ備えている。
【０００３】
具体的には、図８に示すように、貯水した水をヒータ７にて加熱して気化させるボイラー８にスチーム経路１３を接続し、スチーム経路１３の下端部にスチーム放出用のスチームノズル２をノズル保持部５に保持して備え、ボイラー８よりのスチームをスチームノズル２より吐出するようにしている。ボイラー８には給水蓋９を着脱自在に設けて給水ができるようにしている。
【０００４】
制御回路部１１には、ヒータ７、スチームの吐出のオン／オフを切替える切替スイッチ１２、スチーム経路１３に設置してスチームを微細化する高圧放電装置１４、コロナ放電を利用してマイナスイオンを発生させるマイナスオン発生装置３、電源供給用の電源コード１５等が接続されている。
【０００５】
マイナスイオン発生装置３は昇圧回路１６（例えば、入力ＡＣ１００Ｖ、出力ＤＣ−４．５ｋＶ）を設け、昇圧回路出力側に接続される高圧リード線１７にマイナスイオン放出用の放電針１８を接続したイオンノズル４を備え、スチームとマイナスイオンをそれぞれ単一のノズルで放出するものであるから、充分な量のマイナスイオンの放出ができず、マイナスイオンによる肌の手入れ効果を向上させ難いものとなっていた。
【０００６】
【発明が解決しようとする課題】
本発明はこのような問題に鑑みてなされたものであり、マイナスイオン発生量を効果的に増加させてマイナスイオンによる肌の手入れ効果を向上させることができる美顔器を提供することを課題とするものである。
【０００７】
【課題を解決するための手段】
請求項１の発明においては、ミストを放出するミストノズル１又はスチームを放出するスチームノズル２の両側にマイナスイオン発生装置３によって発生するマイナスイオンを肌表面に向けて放出させるイオンノズル４、４を併設していることを特徴とするものである。
【０００８】
一般に、マイナスイオン発生装置３によって発生されるマイナスイオンが肌に付着することによって、保湿性が向上し、しっとり、サラサラ、さっぱり、つるつるとした肌表面の感触が得られるのであり、このような感触が、美顔器Ａにおけるミスト又はスチームによる肌表面の手入れ効果に加えられるのであり、肌ケア後の感触がより好ましくなるものである。
【０００９】
ここで、図４の比較例のようにイオンノズル４、４を近接させて設置する場合には、各々のイオンノズル４、４から放出されるマイナスイオンはその同極性により互いに反発するのである。このような現象が近隣していることにより強電界部Ｅでの反発となり、マイナスイオン分布領域Ｖの急激な拡大が発生し、イオンノズル４、４から放出されるイナスイオンの直進性を低下させてしまい、マイナスイオンが肌へ届きにくくなる。又、マイナスイオン分布領域Ｖの拡大は肌ケアに対して無関係な位置Ｚにマイナスオンを存在させてしまい効率が悪くなる。
【００１０】
そこで、請求項１の発明においては、ステームノズル２の両側に例えば上下対称的にイオンノズル４、４を併設するのであり、イオンノズル４、４間の距離を充分に確保できるのであり、強電界部Ｅでのマイナスイオン４、４同士の反発がなくなり、マイナスイオン分布領域Ｖの拡大が抑制でき、マイナスイオンの直進性の低下を抑えることができ、無関係な位置Ｚへのマイナスイオンの存在を少なくすることができ、結果として、有効なマイナスイオン量を増加させてマイナスイオンによる肌の手入れ効果を向上させることができる
請求項２の発明においては、併設された複数のイオンノズル４、４のイオンノズル固定部材５をマイナスイオン発生装置３のグランド極側に接続していることを特徴とするものである。
【００１１】
肌へのマイナスイオン付着量の増加には、マイナスイオン発生量の増加が必要となる。そこでイオンノズル４を複数、例えば、６個併設することで、マイナスイオン発生量を容易に増加させることができるが、複数のイオンノズル４…から放出されるマイナスイオンは同極性により互いに反発するのであり、マイナスイオンの分布領域を必要以上に拡大することになる。これによりイオンノズル固定部材５にマイナスイオンが付着帯電し、帯電飽和を生じてしまうのである。この現象が発生すると、同極性によりイオンノズルからのマイナスイオン放出量が大幅に低減してしまい、本来の目的であるマイナスイオン発生量の増加が望めなくなくなる。
【００１２】
そこで、請求項２の発明においては、イオンノズル固定部材５をグランド極側に接続することにより、イオンノズル固定部材５のマイナス帯電を防止し、複数のイオンノズルを併設しても同極性による反発を抑制できるため、マイナスイオン発生量の低減を最小限とすることができ、その発生量を増加させることが可能となる。
【００１３】
請求項３の発明においては、ミストを放出するミストノズル１又はスチームを放出するスチームノズル２を中心として複数のイオンノズル４、４を併設していることを特徴とするものである。
【００１４】
肌ケヤに際して、スチームノズル２は顔Ｆの中心に位置して使用される。図７の比較例のようにイオンノズル４ａ、４ｂ、４ｃ、４ｄ、４ｅ及び４ｆを複数併設する際に、顔Ｆより離れた位置にイオンノズル４ａ、４ｂ、４ｅ、４ｆを設置すると、肌ケアにおける効果が殆どない不必要なマイナスイオンＭを放出してしまうことになり、効率が悪くなる。
【００１５】
そこで、複数のイオンノズル４ａ…は、顔との距離Ｌがどれも一定となるよう併設することが必要となるのであり、したがって、請求項３の発明のように、ミストを放出するミストノズル１又はスチームを放出するスチームノズル２を中心として複数のイオンノズル４、４を併設することで可能となり、不必要なマイナスイオンＭの放出を最小限に抑えることができるほか、スチーム及び顔Ｆへのマイナスイオン付着帯電が効率よくおこなえて、肌ケア効果を向上させると共に、肌ケア効果とマイナスイオン量の相関関係を良好にできる。
【００１６】
ここで、各イオンノズル４…を併設する際、顔Ｆとの距離Ｌが各イオンノズル４…において一定となるように併設することが好ましい（図６（ｂ）参照）。
【００１７】
請求項４の発明においては、肌をプラス電位側に保持する荷電端子部６を備えていることを特徴とするものである。
【００１８】
荷電端子部６がない場合、複数のイオンノズル４、４から放出されるマイナスイオンは同極性によりお互い反発し合い、マイナスイオンの分布領域は拡大するが、肌への付着量はあまり増加しない。そこで、荷電端子部６を設け、荷電端子部６により人体をプラスに帯電することで、肌のマイナスイオン帯電飽和がなくなり、複数のイオンノズル４、４ら放出される多量のマイナスイオンを常にプラスに帯電した肌に引き寄せるので、マイナスイオンが肌に付着する付着効率が大幅に向上する。例えば、荷電端子部６をＤＣ＋３００Ｖとした場合、イオンノズル１個と２個とでは２個の方が肌への付着量は約２倍（肌へ付着しマイナスイオンの電流値換算結果）となる。
【００１９】
【発明の実施の形態】
以下、本発明の実施の形態を説明する。図１は断面図である。図２は図１のＤ矢視図であり、イオン分布を示す説明図である。但し、本実施の形態の基本構成は図８で示す従来例のものと共通であり、共通する部分には同一の符号を付して説明は省略する。
【００２０】
本発明の美顔器Ａは、従来の技術の項で述べた図８の構成に加え、２つのイオンノズル４、４の配線をマイナスイオン発生装置３の昇圧回路１６に接続し、本体ケース１０に固定されているイオンノズル固定部材５によって２つのイオンノズル４、４をスチームノズル２の両側に例えば対称的に併設したものである。
【００２１】
２つのイオンノズル４、４の配線構成は、マイナスイオン放出用の放電針１８に接続される高圧リード線１７が分岐され、分岐高圧リード線１９がマイナスイオン放出用の放電針２０に接続され、高圧リード線１７を昇圧回路１６の出力側に接続しているのであり、２つのイオンノズル４、４は昇圧回路１６に対し並列に接続される。
【００２２】
制御回路部１１には、ヒータ７及びスチームの吐出のオン／オフを切替える切替スイッチ１２と、スチーム経路１３に設置してスチームを微細化する高圧放電装置１４と、マイナスオン発生装置３と、荷電端子部６と電源供給用の電源コード１５が接続されている。制御回路部１１に接続される荷電端子部６には、例えば常にＤＣ＋３００Ｖが印加されている状態が好ましい。
【００２３】
しかして、スチームを放出するスチームノズル２の両側にマイナスイオン発生装置３によって発生するマイナスイオンを肌表面に向けて放出させるイオンノズル４、４を併設しているのであり、マイナスイオンが肌に付着することによって、保湿性が向上し、しっとり、サラサラ、さっぱり、つるつるとした肌表面の感触が得られ、このような感触が、美顔器Ａにおけるミスト又はスチームによる肌表面の手入れ効果に加えて得られ、肌ケア後の感触がより好ましくなるのである。
【００２４】
ところで、イオンノズル４、４を近接させて設置すると、各々のイオンノズル４、４から放出されるマイナスイオンはその同極性により互いに反発し、この現象が近隣していることにより強電界部Ｅでの反発となり、マイナスイオン分布領域Ｖの急激な拡大が発生し、イオンノズル４、４から放出されるイナスイオンの直進性を低下させてしまい、マイナスイオンが肌へ届きにくくなるのであり、又、マイナスイオン分布領域Ｖの拡大は肌ケアに対して無関係な位置Ｚにマイナスオンを存在させてしまい効率が悪くなるのである（図４参照）。
【００２５】
そこで、本発明においては、ステームノズル２の両側に上下対称的にイオンノズル４、４を併設するのであり、イオンノズル４、４間の距離を充分に確保できるため、強電界部Ｅでのマイナスイオン４、４同士の反発がなくなり、マイナスイオン分布領域Ｖの拡大が抑制でき、マイナスイオンの直進性の低下を抑えることができ、無関係な位置Ｚへのマイナスイオンの存在を少なくすることができ（図２参照）、結果として、有効なマイナスイオン量を増加させてマイナスイオンによる肌の手入れ効果を向上させることができるのである。
【００２６】
更に、美顔器Ａには、肌をプラス電位側に保持する荷電端子部６を備えているのである。
【００２７】
荷電端子部６がない場合、複数のイオンノズル４、４から放出されるマイナスイオンは同極性によりお互い反発し合い、マイナスイオンの分布領域は拡大するが、肌への付着量はあまり増加しない。そこで、荷電端子部６を設け、荷電端子部６により人体をプラスに帯電することで、肌のマイナスイオン帯電飽和がなくなり、複数のイオンノズル４、４ら放出される多量のマイナスイオンを常にプラスに帯電した肌に引き寄せるのであり、マイナスイオンが肌に付着する付着効率が大幅に向上する。例えば、荷電端子部６をＤＣ＋３００Ｖとした場合、イオンノズル１個と２個とでは２個の方が肌への付着量は約２倍（肌へ付着しマイナスイオンの電流値換算結果）となる。
【００２８】
図３は他の実施の形態を示し、但し、本実施の形態の基本構成は上記実施の形態と共通であり、共通する部分には同一の符号を付して説明は省略する。
【００２９】
本実施の形態においては、上記実施の形態におけるヒータ７及びボイラー８等のスチーム発生機構部アに代えてミスト発生機構部イを備えたミスト式の美顔器Ａである。
【００３０】
ミスト発生機構部イは、水を貯水する貯水室２２にはポンプ２１が接続され、水路２３が延出され、水路２３の先端部にはミストノズル１が接続され、ポンプ２１からの水圧によってミストを放出するように構成したものである。又、貯水室２２には給水蓋９を着脱自在に設けている。
【００３１】
本実施の形態においては、ミストノズル１の両側にマイナスイオン発生装置３によって発生するマイナスイオンを肌表面に向けて放出させるイオンノズル４、４を併設していて、図１の実施の形態と同様の作用を奏するものである。
【００３２】
図５は更に他の実施の形態を示し、但し、本実施の形態の基本構成は上記実施の形態と共通であり、共通する部分には同一の符号を付して説明は省略する。
【００３３】
本実施の形態においては、ステームノズル２の近傍に、例えば、６個のイオンノズル４ａ、４ｂ、４ｃ、４ｄ、４ｅ及び４ｆをイオンノズル固定部材５によって保持して併設したものである。各イオンノズル４ａ、４ｂ、４ｃ、４ｄ、４ｅ及び４ｆの配線形態は、図１と同方式で昇圧回路１６に対して並列としている。
【００３４】
イオンノズル固定部材５内の各イオンノズル４ａ、４ｂ、４ｃ、４ｄ、４ｅ及び４ｆには、アルミテープ２４が貼られ、アルミテープ２４はノズル固定部材５と接触させている。アルミテープ２４には電気的にリード線２５が接続され、リード線２５を昇圧回路１６のグランド極へ接続される。このような構成によりイオンノズル固定部材５をグランドへ接続している。
【００３５】
ところで、肌へのマイナスイオン付着量の増加には、マイナスイオン発生量を増加すればよく、イオンノズル４を、例えば、６個併設することで、マイナスイオン発生量を容易に増加させることができるが、複数のイオンノズル４、４から放出されるマイナスイオンは同極性により互いに反発するのであり、マイナスイオンの分布領域を必要以上に拡大することになる。これによりイオンノズル固定部材５にマイナスイオンが付着帯電し、帯電飽和を生じてしまうのである。この現象が発生すると、同極性によりイオンノズルからのマイナスイオン放出量が大幅に低減してしまい、本来の目的であるマイナスイオン発生量の増加が望めなくなくなる。
【００３６】
そこで、イオンノズル固定部材５をグランド極側に接続することにより、イオンノズル固定部材５のマイナス帯電を防止し、複数のイオンノズル４ａ、４ｂ、４ｃ、４ｄ、４ｅ及び４ｆを併設しても同極性による反発を抑制できるため、マイナスイオン発生量の低減を最小限とすることができ、その発生量を増加させることが可能となる。図５及び図６において、符号ｅはマイナスイオンを示す。
【００３７】
図６は更に他の実施の形態を示し、但し、本実施の形態の基本構成は上記実施の形態と共通であり、共通する部分には同一の符号を付して説明は省略する。
【００３８】
本実施の形態においては、ステームノズル２を中心に例えば、６個のイオンノズル４ａ、４ｂ、４ｃ、４ｄ、４ｅ及び４ｆをイオンノズル固定部材５にて略同心円状に保持して併設したものである。各イオンノズル４ａ、４ｂ、４ｃ、４ｄ、４ｅ及び４ｆの接続形態及び、イオンノズル固定部材５のグランド極側への接続形態は図５の実施の形態と同様である。各イオンノズル４ａ、４ｂ、４ｃ、４ｄ、４ｅ及び４ｆを併設する際、図６（ｂ）に示すように、顔Ｆとの距離Ｌが一定となるように併設している。
【００３９】
ところで、肌ケヤに際して、スチームノズル２は顔Ｆの中心に位置して使用される。図７の比較例のようにイオンノズル４ａ、４ｂ、４ｃ、４ｄ、４ｅ及び４ｆを複数併設する際に、顔Ｆより離れた位置にイオンノズル４ａ、４ｂ、４ｅ、４ｆを設置すると、肌ケアにおける効果が殆どない不必要なマイナスイオンＭを放出してしまうことになり、効率が悪くなる。
【００４０】
そこで、複数のイオンノズル４ａ…は、顔Ｆとの距離Ｌがどれも一定となるよう併設することが必要となるのであり、したがって、ミストを放出するミストノズル１又はスチームを放出するスチームノズル２を中心として複数のイオンノズル４ａ、４ｂ、４ｃ、４ｄ、４ｅ及び４ｆを併設することで可能となり、不必要なマイナスイオンＭの放出を最小限に抑えることができるほか、スチーム及び顔Ｆへのマイナスイオン付着帯電が効率よくおこなえて、肌ケア効果を向上させると共に、肌ケア効果とマイナスイオン量の相関関係を良好にできる。
【００４１】
【発明の効果】
請求項１の発明においては、ミストを放出するミストノズル又はスチームを放出するスチームノズルの両側にマイナスイオン発生装置によって発生するマイナスイオンを肌表面に向けて放出させるイオンノズルを併設しているから、イオンノズル間の距離を充分に確保でき、強電界部でのマイナスイオン同士の反発がなくなり、マイナスイオン分布領域の拡大を抑制でき、マイナスイオンの直進性の低下を抑えることができ、無関係な位置へのマイナスイオンの存在を少なくすることができ、結果として、有効なマイナスイオン量を増加させてマイナスイオンによる肌の手入れ効果を向上させることができるという利点がある。
【００４２】
請求項２の発明においては、請求項１の効果に加えて、併設された複数のイオンノズルのイオンノズル固定部材をマイナスイオン発生装置のグランド極側に接続しているから、イオンノズル固定部材のマイナス帯電を防止することができ、複数のイオンノズルを併設しても同極性による反発を抑制でき、マイナスイオン発生量の低減を最小限とすることができ、マイナスイオンの発生量を効果的に増加させることができるという利点がある。
【００４３】
請求項３の発明においては、請求項２の効果に加えて、ミストを放出するミストノズル又はスチームを放出するスチームノズルを中心として複数のイオンノズルを併設しているから、不必要なマイナスイオンの放出を最小限に抑えることができるほか、スチーム及び顔へのマイナスイオン付着帯電が効率よくおこなえて、肌ケア効果を向上させると共に、肌ケア効果とマイナスイオン量の相関関係を良好にできるという利点がある。
【００４４】
請求項４の発明においては、請求項１の効果に加えて、肌をプラス電位側に保持する荷電端子部を備えているから、荷電端子部により人体をプラスに帯電することができ、肌のマイナスイオン帯電飽和がなくなり、複数のイオンノズルら放出される多量のマイナスイオンを常にプラスに帯電した肌に引き寄せることができ、マイナスイオンが肌に付着する付着効率を大幅に向上させることができるという利点がある。
【図面の簡単な説明】
【図１】本発明の実施の一形態の断面図である。
【図２】図１のＤ矢視図であり、イオン分布を示す説明図である。
【図３】同上の他の実施の形態を示す断面図である。
【図４】比較例のイオン分布を示す説明図である。
【図５】同上の更に他の実施の形態を示し、（ａ）はスチームノズルとイオンノズルの配置関係を示す説明図、（ｂ）は（ａ）のＢ―Ｂ線断面図、（ｃ）は回路説明図である。
【図６】（ａ）は同上の他の実施の形態のスチームノズルとイオンノズルの配置関係とイオン分布を示す説明図、（ｂ）は顔との関係を説明する断面図である。
【図７】比較例のイオン分布を示す説明図である。
【図８】従来例の断面図である。
【符号の説明】
１　　ミストノズル
２　　スチームノズル
３　　マイナスイオン発生装置
４　　イオンノズル
５　　イオンノズル固定部材
６　　荷電端子部
【図１】
2004016523.tif 000003
【図２】
2004016523.tif 000004
【図３】
2004016523.tif 000005
【図４】
2004016523.tif 000006
【図５】
2004016523.tif 000007
【図６】
2004016523.tif 000008
【図７】
2004016523.tif 000009
【図８】
2004016523.tif 000010